(57)【要約】【課題】新聞記事をブラウジングする際に処理の負荷が増大することなく読みたい新聞記事を効率よく探すことができる新聞記事アーカイブシステムを提供する。【解決手段】新聞紙面画像表示制御部１４は、選択部１３が選択した一つの新聞紙面画像をディスプレイ２に表示するように制御する。タグ判定部１５は、操作部１０が入力したタグ候補文字列が、表示された新聞紙面画像上に存在するか否かに基づいて入力されたタグ候補文字列が適正であるか否かを判定し、適正であると判定されたタグ候補をタグ情報としてタグデータベース４に記憶させる。タグ表示制御部１６は、新聞紙面画像をディスプレイ２に表示する際に、新聞紙面画像に対応して設定された複数の矩形領域をディスプレイ２に表示させると共に、適正であると判定したタグ候補文字列が存在する新聞紙面画像上の位置に対応した矩形領域にタグ情報を表示させる。【選択図】図１
2015084183.tif 000002
【特許請求の範囲】
【請求項１】
ディスプレイに表示された新聞紙面画像に含まれる新聞記事をブラウジング可能な新聞記事アーカイブシステムであって、
データベースに格納された複数の新聞紙面画像から一つの新聞紙面画像を選択する選択部と、
前記選択部により選択された新聞紙面画像をディスプレイに表示するように制御する新聞紙面画像表示制御部と、
表示された新聞紙面画像に対応したタグ候補文字列を入力するための入力部と、
光学文字認識により、前記入力部が入力したタグ候補文字列が、前記表示された新聞紙面画像上に存在するか否かに基づいて前記入力されたタグ候補文字列が適正であるか否かを判定し、適正であると判定された前記タグ候補文字列をタグ情報としてデータベースに記憶させるタグ判定部と、
前記新聞紙面画像表示制御部が前記選択された新聞紙面画像をディスプレイに表示する際に、前記表示された新聞紙面画像の段組みに対応して設定された複数の矩形領域をディスプレイに表示させると共に、前記タグ判定部が適正であると判定したタグ候補文字列が存在する前記表示された新聞紙面画像上の位置に対応した矩形領域にタグを表示させるタグ表示制御部と、
を有することを特徴とする新聞記事アーカイブシステム。
【請求項２】
発刊日に基づいて整列された１か月間に発刊されている互いに異なる発刊日の複数の新聞紙面画像を含む複数の新聞紙面整列画像を、ディスプレイの画面上で複数列に亘って配置するために、前記複数の新聞紙面整列画像に含まれる全ての新聞紙面画像を新聞紙面画像データベースから取得し、取得した全ての新聞紙面画像に基づいて前記複数の新聞紙面整列画像を生成し、前記複数の新聞紙面整列画像をそれぞれ配置する複数の画像配置領域を年月に基づいて決定する新聞紙面整列画像配置領域決定部と、
前記画像配置領域に配置された前記新聞紙面整列画像をディスプレイに表示するように制御する新聞紙面整列画像表示制御部と、
を更に有し、
前記選択部は、ブラウジングする対象を絞り込むための情報に基づいて、拡大表示する前記新聞紙面整列画像及び縮小表示する前記新聞紙面整列画像を選択し、選択した前記新聞紙面整列画像を前記新聞紙面整列画像表示制御部によって拡大表示及び縮小表示させる、請求項１に記載の新聞記事アーカイブシステム。
【請求項３】
前記ブラウジングする対象を絞り込むための情報は、新聞の発刊年月日、新聞社名及びタグを検索するための文字列のうちの少なくとも一つを含む、請求項２に記載の新聞記事アーカイブシステム。
【請求項４】
前記選択部は、ディスプレイに拡大表示された前記新聞紙面整列画像に含まれる複数の新聞紙面画像のうちの一つを、前記新聞紙面画像表示制御部によってディスプレイに表示される一つの新聞紙面画像として選択し、選択した一つの新聞紙面画像をデータベースから取得する、請求項２又は３に記載の新聞記事アーカイブシステム。
【請求項５】
前記タグ判定部は、前記タグ候補文字列が適正であるか否かを、前記タグ候補文字列の意味が対応する前記表示された新聞紙面画像上に存在する文字列の意味と一致又は類似するか否か又は前記タグ候補文字列が前記表示された新聞紙面画像上に存在する表象を表すか否かに基づいて判定する、請求項１から４のうちのいずれか１項に記載の新聞記事アーカイブシステム。
【請求項６】
タグ表示制御部は、前記矩形領域に表示されたタグを指定し、前記新聞紙面画像表示制御部は、指定したタグに対応する前記表示された新聞紙面画像上に存在する文字列をハイライト表示する、請求項１から５のうちのいずれか１項に記載の新聞記事アーカイブシステム。
【発明の詳細な説明】
【技術分野】
【０００１】
本発明は、ディスプレイに表示された新聞紙面画像に含まれる新聞記事をブラウジング可能な新聞記事アーカイブシステムに関する。
【背景技術】
【０００２】
従来、新聞記事をユーザにブラウジング（閲覧）させるために新聞紙面画像をディスプレイに表示させるシステムが提案されている（例えば、特許文献１，２）。このようなシステムにおいて、ユーザは、ディスプレイに表示された新聞紙面画像から読みたい新聞記事を探し出すことができる。
【先行技術文献】
【特許文献】
【０００３】
【特許文献１】特開２００３−１４１１０５号公報
【特許文献２】特開２０１０−２５７３３３号公報
【発明の概要】
【発明が解決しようとする課題】
【０００４】
従来のシステムでは、読みたい新聞記事を探し出すための手がかりが示されないので、ディスプレイに表示された新聞紙面画像から読みたい新聞記事を効率よく探し出すのが容易でなく、ブラウジング対象となる新聞紙面画像の枚数が増大するに従って、読みたい新聞記事を探し出すのが困難になる。一方、読みたい新聞記事を効率よく探し出すために、キーワード等の質問用語を用いた検索を行うことによって読みたい新聞記事を探し出すことも考えられる。しかしながら、検索を行う場合、新聞紙面画像を光学文字認識可能な画像（例えば、ＪＰＥＧ画像）によって形成し、検索を行うために必要な索引を、光学式文字読取装置（ＯＣＲ）を用いた画像の光学文字認識により事前に作成しておく必要がある上に、光学文字認識の結果の正誤判定を人手にて行う必要があるので、光学文字認識に伴う処理の負荷が増大するという不都合がある。
【０００５】
本発明の目的は、新聞記事をブラウジングする際に処理の負荷が増大することなく読みたい新聞記事を効率よく探すことができる新聞記事アーカイブシステムを提供することである。
【課題を解決するための手段】
【０００６】
本発明による新聞記事アーカイブシステムは、ディスプレイに表示された新聞紙面画像に含まれる新聞記事をブラウジング可能な新聞記事アーカイブシステムであって、データベースに格納された複数の新聞紙面画像から一つの新聞紙面画像を選択する選択部と、選択部により選択された新聞紙面画像をディスプレイに表示するように制御する新聞紙面画像表示制御部と、表示された新聞紙面画像に対応したタグ候補文字列を入力するための入力部と、光学文字認識により、入力部が入力したタグ候補文字列が、表示された新聞紙面画像上に存在するか否かに基づいて入力されたタグ候補文字列が適正であるか否かを判定し、適正であると判定されたタグ候補文字列をタグ情報としてデータベースに記憶させるタグ判定部と、新聞紙面画像表示制御部が選択された新聞紙面画像をディスプレイに表示する際に、表示された新聞紙面画像に対応して設定された複数の紙面区域をディスプレイに表示させると共に、タグ判定部が適正であると判定したタグ候補文字列が存在する表示された新聞紙面画像上の位置に対応した紙面区域にタグ情報を表示させるタグ表示制御部と、を有することを特徴とする。
【０００７】
好適には、本発明による新聞記事アーカイブシステムは、発刊日に基づいて整列された１か月間に発刊されている互いに異なる発刊日の複数の新聞紙面画像を含む複数の新聞紙面整列画像を、ディスプレイの画面上で複数列に亘って配置するために、複数の新聞紙面整列画像に含まれる全ての新聞紙面画像を新聞紙面画像データベースから取得し、取得した全ての新聞紙面画像に基づいて複数の新聞紙面整列画像を生成し、複数の新聞紙面整列画像をそれぞれ配置する複数の画像配置領域を年月に基づいて決定する新聞紙面整列画像配置領域決定部と、画像配置領域に配置された新聞紙面整列画像をディスプレイに表示するように制御する新聞紙面整列画像表示制御部と、を更に有し、選択部は、ブラウジングする対象を絞り込むための情報に基づいて、拡大表示する新聞紙面整列画像及び縮小表示する新聞紙面整列画像を選択し、選択した新聞紙面整列画像を新聞紙面整列画像表示制御部によって拡大表示及び縮小表示させる。
【０００８】
好適には、ブラウジングする対象を絞り込むための情報は、新聞の発刊年月日、新聞社名及びタグを検索するための文字列のうちの少なくとも一つを含む。
【０００９】
好適には、選択部は、ディスプレイに拡大表示された新聞紙面整列画像に含まれる複数の新聞紙面画像のうちの一つを、新聞紙面画像表示制御部によってディスプレイに表示される一つの新聞紙面画像として選択し、選択した一つの新聞紙面画像をデータベースから取得する。
【００１０】
好適には、タグ判定部は、タグ候補文字列が適正であるか否かを、タグ候補文字列の意味が対応する表示された新聞紙面画像上に存在する文字列の意味と一致又は類似するか否か又はタグ候補文字列が表示された新聞紙面画像上に存在する表象を表すか否かに基づいて判定する。
【００１１】
好適には、タグ表示制御部は、矩形領域に表示されたタグを指定し、新聞紙面画像表示制御部は、指定したタグに対応する表示された新聞紙面画像上に存在する文字列をハイライト表示する。
【発明の効果】
【００１２】
本発明によれば、新聞記事をブラウジングする際に処理の負荷が増大することなく読みたい新聞記事を効率よく探すことができる。
【図面の簡単な説明】
【００１３】
【図１】本発明の一実施の形態による新聞記事アーカイブシステムを含む配置のブロック図である。
【図２】複数の画像配置領域にそれぞれ配置される複数の新聞紙面整列画像を含む画像を示す図である。
【図３】拡大表示された新聞紙面整列画像及び縮小表示された新聞紙面整列画像を含む画像の一例を示す図である。
【図４】拡大表示された新聞紙面整列画像及び縮小表示された新聞紙面整列画像を含む画像の他の例を示す図である。
【図５】拡大表示された新聞紙面整列画像及び縮小表示された新聞紙面整列画像を含む画像の他の例を示す図である。
【図６】拡大表示された新聞紙面整列画像の選択を説明するための図である。
【図７】一つの新聞紙面画像及び複数の矩形領域を含む画像を示す図である。
【図８】拡大した新聞紙面画像及び対応するタグ領域を含む画像を示す図である。
【発明を実施するための形態】
【００１４】
本発明による新聞記事アーカイブシステムの実施の形態を、図面を参照しながら詳細に説明する。
図１は、本発明の一実施の形態による新聞記事アーカイブシステムを含む配置のブロック図である。図１に示す配置は、新聞記事アーカイブシステム１と、ディスプレイ２と、データベースとしての新聞紙面画像データベース３と、データベースとしてのタグデータベース４と、類義語辞書データベース５と、を備える。
【００１５】
新聞記事アーカイブシステム１は、ディスプレイ２、新聞紙面画像データベース３、タグデータベース４及び類義語辞書データベース５に接続される。ディスプレイ２は、各種画像を表示し、例えば、液晶ディスプレイ（ＬＣＤ）によって構成される。
【００１６】
新聞紙面画像データベース３は、新聞のマイクロフィルムをスキャニングすることによって得られた光学文字認識可能な（例えば、ＪＰＥＧ画像によって構成される）複数の新聞紙面画像を格納し、例えば、ＥＥＰＲＯＭによって構成される。例えば、新聞紙面画像の各々は、新聞社ごとに年及び月ごとのフォルダに、日と発刊区分（朝刊、夕刊、号外、付録）及びページ番号からなるファイル名で新聞紙面画像データベース３に格納される。本実施の形態では、新聞紙面画像データベース３は、１８７６年から１９６１年までに大分県内及びその周辺地域で発刊された地方新聞の新聞紙面画像を格納している。
【００１７】
タグデータベース４は、後に説明するようにして新聞紙面に付されたタグを格納し、例えば、ＥＥＰＲＯＭによって構成される。類義語辞書データベース５は、後に詳細に説明する類義語辞書を格納し、例えば、ＥＥＰＲＯＭによって構成される。
【００１８】
本実施の形態では、新聞記事アーカイブシステム１は、ディスプレイ２に表示された新聞紙面画像に含まれる新聞記事をブラウジング可能であり、ディスプレイ２に表示された新聞紙面画像をその配置に従って閲覧しながら新聞記事を探すために用いられる。このために、新聞記事アーカイブシステム１は、入力部としての操作部１０と、新聞紙面整列画像配置領域決定部１１と、新聞紙面整列画像表示制御部１２と、選択部１３と、新聞紙面画像表示制御部１４と、タグ判定部１５と、タグ表示制御部１６と、を備える。
【００１９】
操作部１０は、表示された新聞紙面画像に対応したタグ候補文字列、ブラウジングする対象を絞り込むための情報、新聞記事アーカイブシステム１を操作するための各種指令等を入力するために用いられ、例えば、マウス及びキーボードによって構成される。
【００２０】
本実施の形態では、新聞紙面整列画像配置領域決定部１１、新聞紙面整列画像表示制御部１２、選択部１３、新聞紙面画像表示制御部１４、タグ判定部１５及びタグ表示制御部１６は、例えば、パーソナルコンピュータ（ＰＣ）によって構成され、（例えば、ＥＥＰＲＯＭによって構成された）図示しないプログラムデータベースに格納された処理プログラムに基づいて各種処理を実行する。
【００２１】
新聞紙面整列画像配置領域決定部１１は、操作部１０からの指令に応じて、発刊日に基づいて整列された１か月間に発刊されている互いに異なる発刊日の複数の新聞紙面画像を含む複数の新聞紙面整列画像を、ディスプレイ２の画面（２次元空間）上で複数列に亘って配置する。このために、新聞紙面整列画像配置領域決定部１１は、複数の新聞紙面整列画像に含まれる全ての新聞紙面画像を新聞紙面画像データベース３から取得し、取得した全ての新聞紙面画像に基づいて複数の新聞紙面整列画像を生成する。そして、新聞紙面整列画像配置領域決定部１１は、複数の新聞紙面整列画像をそれぞれ配置する複数の画像配置領域を年月に基づいて決定する。
【００２２】
新聞紙面整列画像表示制御部１２は、新聞紙面整列画像配置領域決定部１１による画像配置領域の決定に応じて、画像配置領域に配置された新聞紙面整列画像をディスプレイ２に表示するように制御する。図２は、複数の画像配置領域にそれぞれ配置される複数の新聞紙面整列画像を含む画像を示す図である。図２に示す画像は、新聞記事アーカイブシステム１が起動されたときに新聞紙面整列画像配置領域決定部１１によってディスプレイ２の画面上に形成され、新聞紙面整列画像配置領域表示画像２１及び年代表示画像２２を含む。新聞紙面整列画像配置領域表示画像２１は、新聞紙面整列画像配置領域に対して、対応する新聞紙面整列画像が新聞紙面整列画像配置領域決定部１１によってそれぞれ配置される。
【００２３】
新聞紙面整列画像配置領域表示画像２１には、新聞紙面整列画像を年月が古い順に複数列に亘って配置する新聞紙面整列画像配置領域が配置される。すなわち、年月が最も古い明治９年（１８７６年）１月の新聞紙面整列画像２１ａが１列目の右端の新聞紙面整列画像配置領域に配置され、年月が最も新しい昭和３６年（１９６１年）１２月の新聞紙面整列画像２１ｂが最終列の左端に配置される。また、新聞紙面整列画像配置領域表示画像２１には、時間の流れを明確にするために１月から１２月に向けて白から黒に明度を月ごとに段階的に下げたラベルを上部に付している。ラベルは、各月の区切りとなり、１月と１２月の明度の差が年の区切りとなる。さらに、元号ごとに新聞紙面整列画像配置領域の背景色を変えることによって時代をわかりやすくしている。年代表示画像２２は、新聞紙面整列画像配置領域に配置される新聞紙面整列画像の各列の年代を表す。
【００２４】
選択部１３は、操作部１０からの指令に応じて、新聞紙面画像データベース３に格納された光学文字認識可能な複数の新聞紙面画像から一つの新聞紙面画像を選択する。そして、選択部１３は、選択した一つの新聞紙面画像を新聞紙面画像データベース３から取得する。本実施の形態では、選択部１３は、ブラウジングする対象を絞り込むための情報が操作部１０から入力され、当該情報に基づいて、拡大表示する新聞紙面整列画像及び縮小表示する新聞紙面整列画像を選択し、選択した新聞紙面整列画像を新聞紙面整列画像表示制御部１２によって拡大表示及び縮小表示させる。このために、新聞紙面整列画像表示制御部１２は、拡大表示した新聞紙面整列画像及び縮小表示した新聞紙面整列画像を、ディスプレイ２の画面上の対応する新聞紙面整列画像配置領域にそれぞれ表示させる。
【００２５】
図３は、拡大表示された新聞紙面整列画像及び縮小表示された新聞紙面整列画像を含む画像の一例を示す図である。図３に示す画像は、新聞紙面整列画像配置領域表示画像２１及び年代表示画像２２の他に選択画面表示画像２３を含む。
【００２６】
選択画面表示画像２３は、（新聞の発刊年月日、新聞社名及びタグを検索するための文字列のうちの少なくとも一つを含む）ブラウジングする対象を絞り込むための情報を操作部１０によって選択部１３に入力するために、新聞社名（この場合、○×合同新聞、○×新聞、△△新聞、その他）、発刊期間、発刊区分（朝刊、夕刊、号外、付録）、キーワード入力スペース、検索条件表示スペース及びリストアップ新聞紙面表示スペースを示す。新聞社名、発刊期間、発刊区分及び文字列のうちの少なくとも一つを操作部１０によって新聞紙面整列画像配置領域決定部１１に入力することによって、探し出したい記事がある新聞の発行日を含む新聞紙面整列画像を選択することができる。
【００２７】
図３に示す画像は、ブラウジングする対象を絞り込むための情報として大正１５年（１９２６年）１月１日から昭和６年（１９３１年）１２月３１日までの発刊期間が操作部１０によって選択部１３に入力された場合に形成される。この場合、当該発刊期間に対応する新聞紙面整列画像のそれぞれの幅をａ倍（ａは１以上かつ所定の数値（例えば、３）以下の数値）に拡大してハイライト表示し、それ以外の新聞紙面整列画像のそれぞれの幅をｂ倍（ｂは０より大きくかつ１未満の数値）に縮小して表示する。図３において、拡大してハイライト表示した新聞紙面整列画像群に符号２１ｃを付す。
【００２８】
図４は、拡大表示された新聞紙面整列画像及び縮小表示された新聞紙面整列画像を含む画像の他の例を示す図である。図４に示す画像は、図３に示す画像がディスプレイ２に表示された後にブラウジングする対象を絞り込むための情報として文字列「飛行機」が操作部１０によって選択部１３に入力された場合に形成される。この場合、拡大表示する新聞紙面画像が更に絞り込まれ、文字列「飛行機」が検索条件として検索条件表示スペースに表示され、条件に該当する全ての新聞紙面の新聞名、発刊日、発刊区分、頁及び当該新聞紙面に付された全てのタグがリストアップ新聞紙面表示スペース内にリストアップされる。図４に示す画像では、新聞紙面に付された全てのタグを表示するに際し、入力された文字列に一致するタグ「飛行機」に括弧が付される。図４において、拡大してハイライト表示した新聞紙面整列画像群に符号２１ｄを付す。
【００２９】
図５は、拡大表示された新聞紙面整列画像及び縮小表示された新聞紙面整列画像を含む画像の他の例を示す図である。図５に示す画像は、図４に示す画像がディスプレイ２に表示された後にブラウジングする対象を絞り込むための情報として文字列「大分」が操作部１０によって選択部１３に更に入力された場合に形成される。この場合、拡大表示する新聞紙面画像が一層絞り込まれ、文字列「大分」及び「飛行機」が検索条件として検索条件表示スペースに表示され、リストアップ新聞紙面表示スペースにリストアップされる条件に該当する全ての新聞紙面の新聞名、発刊日、発刊区分、頁及び当該新聞紙面に付された全てのタグが更に絞り込まれる。図５に示す画像では、新聞紙面に付された全てのタグを表示するに際し、入力された文字列に一致するタグ「大分」及び「飛行機」に括弧が付される。図５において、拡大してハイライト表示した新聞紙面整列画像群に符号２１ｅを付す。
【００３０】
上述したように拡大表示した新聞紙面整列画像及び縮小表示した新聞紙面整列画像を形成することによって、時間の流れに沿った新聞紙面整列画像の並びが維持されるので、ブラウジングの際の新聞紙面画像の位置を容易に把握することができる。
【００３１】
さらに、選択部１３は、操作部１０による操作（例えば、マウスによるクリック）に応じて、ディスプレイ２に拡大表示された新聞紙面整列画像に含まれる複数の新聞紙面画像のうちの一つを、新聞紙面画像表示制御部１４によってディスプレイ２に表示される一つの新聞紙面画像として選択する。そして、選択部１３は、選択した一つの新聞紙面画像を新聞紙面画像データベース３から取得する。
【００３２】
このために、選択部１３は、操作部１０による操作（例えば、マウスによるクリック）に応じて新聞紙面整列画像を選択すると、図６に示すように、更に拡大した新聞紙面整列画像３１を、新聞紙面整列画像表示制御部１２によって新聞紙面整列画像配置領域表示画像２１に重畳して表示させる。
【００３３】
図６において、新聞紙面整列画像３１は、１９２９年６月の新聞紙面整列画像であり、１９２９年６月１日から６月３０日までの○×合同新聞の朝刊の１頁の新聞紙面画像がカレンダー形式で配置される。休刊日のように○×合同新聞が発行されていない日がある場合、例えば、他の新聞（例えば、○×新聞）の朝刊の１頁の新聞紙面画像を代わりに配置する。いずれの新聞も発行されていない日がある場合、ブランク領域にする。その後、選択部１３は、操作部１０による操作（例えば、マウスによるクリック）に応じて、更に拡大した新聞紙面整列画像３１に含まれる一つの新聞紙面画像を選択する。
【００３４】
そして、選択部１３は、後に説明する画像の切り替えを行うことによって、新聞紙面画像表示制御部１４によってディスプレイ２に表示される一つの新聞紙面画像を選択し、選択した一つの新聞紙面画像を新聞紙面画像データベース３から取得する。その後、選択部１３は、取得した一つの新聞紙面画像を、新聞紙面画像表示制御部１４に供給する。
【００３５】
新聞紙面画像表示制御部１４は、選択部１３が選択した新聞紙面画像をディスプレイ２に表示するように制御する。タグ判定部１５は、操作部１０からタグ候補文字列が入力される。タグ判定部１５は、光学文字認識により、操作部１０が入力したタグ候補文字列が、ディスプレイ２に表示された新聞紙面画像上に存在するか否かに基づいて、入力されたタグ候補文字列が適正であるか否かを判定する。そして、タグ判定部１５は、適正であると判定されたタグ候補文字列を、タグ情報としてタグデータベース４に記憶させる。この場合、タグ候補文字は、タグ候補文字が存在する（後に説明する）紙面領域及び当該紙面領域に対応する（後の説明する）矩形領域とともにタグデータベース４に記憶される。タグ候補文字が存在する紙面領域が二つ以上存在する場合、タグ候補情報は、タグ候補文字が存在する二つ以上の紙面領域及びこれらの紙面領域にそれぞれ対応する二つ以上の矩形領域とともにタグデータベース４に記憶される。
【００３６】
本実施の形態では、タグ判定部１５は、タグ候補文字列が適正であるか否かを、タグ候補文字列が表示された新聞紙面画像上に存在するか否かに基づいて判定するだけでなく、タグ候補文字列の意味が対応する表示された新聞紙面画像上に存在する文字列の意味と一致又は類似するか否か又はタグ候補文字列が表示された新聞紙面画像上に存在する表象を表すか否かにも基づいて判定する。このために、タグ判定部１５は、入力された文字列が紙面区域に存在するか否かを判断するために光学文字認識を行うためのＯＣＲソフトを用いる（ＯＣＲ技術による文字認識）とともに、類義語辞書データベース５に格納された類義語辞書を用いる。類義語辞書には、所定の文字列の類似語に対応する文字列、新字体の文字列に対応する旧字体、文字列を意味する表象等が登録される。
【００３７】
このような類義語データを用いることによって、例えば、表示された新聞紙面画像上に所定の文字列が含まれ、当該文字列の類似語に対応するタグ候補文字列が操作部１０によってタグ判定部１５に入力されたとしても、タグ判定部１５は、タグ候補文字列が適正であると判定することができる。
【００３８】
また、表示された新聞紙面画像上に旧字体の文字列が含まれ、当該旧字体の文字列に対応する新字体のタグ候補文字列が操作部１０によってタグ判定部１５に入力されたとしても、タグ判定部１５は、タグ候補文字列が適正であると判定することができる。このように旧字体の文字列と新字体の文字列の対応付けを行うことによって、１９６１年より古い発行年月日の新聞紙面に対しても適切なタグ付を行うことができる。
【００３９】
さらに、表示された新聞紙面画像上に文字列を意味する表象（例えば、つぶれ文字を含む文字列のような光学文字認識により判別困難な印刷された文字列）が含まれ、当該表象に対応するタグ候補文字列が操作部１０によってタグ判定部１５に入力されたとしても、タグ判定部１５は、タグ候補文字列が適正であると判定することができる。このように表象と文字列との対応付けを行うことによって、文字列に対応する表象を含む表示された新聞紙面画像上に対して適切なタグ付を行うことができる。
【００４０】
タグ表示制御部１６は、新聞紙面画像表示制御部１４が選択された新聞紙面画像をディスプレイ２に表示する際に、表示された新聞紙面画像（さらに詳しくは、新聞紙面画像の段組みの構成）に対応して設定された複数の紙面区域をディスプレイ２に表示させる。さらに、タグ表示制御部１６は、タグ判定部１５が適正であると判定したタグ候補文字列が存在する表示された新聞紙面画像上の位置に対応した紙面区域にタグ情報としてのタグを表示させる。このために、タグ表示制御部１６は、紙面区域ごとに付されたタグをタグデータベース４から読み出す。タグ表示制御部１６が紙面区域に表示するタグの順序は、タグを付した時間が早い順となる。
【００４１】
図７は、一つの新聞紙面画像及び複数の矩形領域を含む画像を示す図である。図７に示す画像は、例えば、新聞紙面画像表示制御部１４によって、図６に示す更に拡大した新聞紙面整列画像３１に重畳して表示される。図７に示す画像は、新聞紙面画像４１と、２行３列に配置された六つの矩形領域４２−１，４２−２，４２−３，４２−４，４２−５，４２−６と、画像切替部４３，４４と、を有する。
【００４２】
新聞紙面画像４１は、１９５７年１月３日に発刊された○×合同新聞の朝刊の３頁の新聞紙面画像であり、縦３段組みの構成を有する。本実施の形態では、新聞紙面画像表示制御部１４は、段組み（この場合、縦３段組み）の構成に基づいて、破線で示す六つの紙面区域４１−１，４１−２，４１−３，４１−４，４１−５，４１−６を新聞紙面画像４１に設定する。
【００４３】
矩形領域４２−１，４２−２，４２−３，４２−４，４２−５，４２−６は、紙面区域４１−１，４１−２，４１−３，４１−４，４１−５，４１−６に付されたタグを表示するために、新聞紙面画像表示制御部１４によって紙面区域４１−１，４１−２，４１−３，４１−４，４１−５，４１−６にそれぞれ対応して設定される。
【００４４】
図７に示す画像では、紙面区域４１−１内の「飛行機」、「大分」、「空港」、「安部」、「勝平」、「歴史」及び「市」の文字列に対応するタグが矩形領域４２−１に表示される。また、紙面区域４１−２内の「清末清文」、「ダンス熱」及び「清中国」の文字列に対応するタグが矩形領域４２−２に表示され、紙面区域４１−３内の「清末清文」、「ダンス熱」及び「清中国」の文字列に対応するタグが矩形領域４２−３に表示される。例えば、一つの新聞記事が二つの紙面区域に亘って記載されている場合、一方の紙面区域に付される全てのタグを他方の紙面区域に付される全てのタグに完全に一致させてもよい。さらに、矩形領域４２−４，４２−５，４２−６はブランクである。例えば、新聞記事の代わりに広告が紙面区域に記載されている場合、当該紙面区域に対応する新聞紙面画像の個所を読み飛ばすことができるようにするために矩形領域をブランクにすることができる。
【００４５】
画像切替部４３，４４は、新聞紙面画像表示制御部１４によってディスプレイ２に表示する新聞紙面画像を切り替える、すなわち、いわゆるページ切替を行うために用いられる。画像切替部４３が操作部１０によって指定された（例えば、マウスによってクリックされた）場合、新聞紙面画像表示制御部１４は、ディスプレイ２に表示された新聞紙面画像の前の頁の新聞紙面画像を表示する。一方、画像切替部４４が操作部１０によって指定された場合、新聞紙面画像表示制御部１４は、ディスプレイ２に表示された新聞紙面画像の後の頁の新聞紙面画像を表示する。
【００４６】
本実施の形態では、タグ表示制御部１６は、操作部１０の操作に応じて、矩形領域に表示されたタグを指定する。この場合、新聞紙面画像表示制御部１４は、指定したタグに対応する紙面区域内の文字列をハイライト表示する。例えば、矩形領域４２−１に含まれるタグ「飛行機」が操作部１０によって指定された（例えば、マウスによってクリックされた）場合、新聞紙面画像表示制御部１４は、紙面区域４１−１内の文字列「飛行機」をハイライト表示する。
【００４７】
操作部１０によって紙面区域を指定する（例えば、マウスによってクリックする）ことによって指定した紙面区域を拡大し、指定した拡大領域に対応する矩形領域以外の矩形領域のタグの表示を消去することもできる。例えば、図８に示すように、紙面区域４１−１を指定した場合、矩形領域４２−２，４２−３にそれぞれ表示されたタグの表示（すなわち、「清末清文」、「ダンス熱」及び「清中国」）を消去することができる。
【００４８】
本実施の形態では、新聞記事アーカイブシステム１にユーザ投票機能を持たせ、投票数が所定の数を超えたタグを示す符号（図８の「いいね」）を矩形領域に付すこともできる。
【００４９】
紙面区域４１−１，４１−２，４１−３，４１−４，４１−５，４１−６の設定は、新聞紙面画像の選択前又は新聞紙面画像の選択時に操作部１０の操作に応じて新聞紙面画像表示制御部１４によって行われる。紙面区域４１−１，４１−２，４１−３，４１−４，４１−５，４１−６の設定は、新聞紙面画像の選択前又は新聞紙面画像の選択時に操作部１０の操作に応じてタグ表示制御部１６によって行われる。このように紙面区域及び矩形領域を設定することによって、新聞記事が段組みに沿って不規則に配置されていても、紙面区域に目を通しながら段組みに沿った新聞記事のブラウジングができるようになる。
【００５０】
本実施の形態によれば、新聞紙面の段組みに基づいて設定される新聞紙面画像の複数の紙面区域ごとにタグを配置することにより、紙面区域に配置されたタグと、段組みに基づいて配置される新聞記事の領域との対応付けを容易に行うことができるので、新聞記事を探し出すための手がかりを適切に示すことができる。また、タグ付の際にＯＣＲを用いて画像の光学文字認識を行うことによって紙面区域内のタグに対応する文字列の位置を特定すれば、その文字列をハイライト表示することで、読みたい新聞記事を効率よく探すことができる。
【００５１】
また、本実施の形態によれば、複数列に亘って線形的に配置された新聞紙面整列画像及び紙面区域を用いているので、新聞の発行年月日を表す年、月及び日の時間単位及び新聞紙面の段組みの構成の空間単位（紙面区域）に基づく時空間知識を用いて新聞記事のブラウジングを行うことができる。さらに、検索を行うための索引を事前に作成する必要がないため、ＯＣＲを用いて画像の光学文字認識を行ってその結果を人手で正誤判定する必要がなくなり、光学文字認識に伴う処理の負荷が増大することなく読みたい新聞記事を効率よく探すことができる新聞記事アーカイブシステムを提供できる。
【００５２】
本発明は、上記実施の形態に限定されるものではなく、幾多の変更及び変形が可能である。例えば、選択部１３は、新聞紙面画像表示制御部１４によってディスプレイ２に表示させる一つの新聞紙面画像を、操作部１０を用いて新聞名、発刊日、発刊区分及び頁を指定することによって選択することができる。また、光学文字認識可能でない複数の新聞紙面画像を新聞紙面画像データベース３に格納し、これらの新聞紙面画像のうちの一つの新聞紙面画像を選択部１３によって選択することもできる。
【００５３】
上記実施の形態において、新聞紙面画像データベース３及びタグデータベース４を別個のデータベースで実現する場合について説明したが、新聞紙面画像データベース３及びタグデータベース４を同一のデータベースで実現する場合にも本発明を適用することができる。
【００５４】
上記実施の形態において、新聞紙面が縦３段組みの構成を有する場合について説明したが、新聞紙面が他の段組み（例えば、横３段組み）の構成を有する場合にも本発明を適用することができる。
【００５５】
上記実施の形態において、２行３列に配置された六つの紙面区域４１−１，４１−２，４１−３，４１−４，４１−５，４１−６及びそれに対応する矩形領域４２−１，４２−２，４２−３，４２−４，４２−５，４２−６を設定する場合について説明したが、ｍ行ｎ列（ｍとｎのうちのいずれか一方が２以上の整数であり、他方が１以上の整数）に配置されたｍ×ｎ個の紙面区域及びそれに対応する矩形領域を設定してもよい。
【００５６】
上記実施の形態において、入力された文字列がタグとして適正であるか否かを判定するために、新字体の文字列に対応する旧字体を登録した類義語辞書を用いる場合について説明したが、当該類義語辞書を用いる代わりに新・旧字体変換ソフトウェアを用いることもできる。
【００５７】
上記実施の形態において、矩形領域に表示するタグの順序がタグを付した時間が早い順である場合について説明したが、当該順序をタグの文字列が長い順にしてもよい。
【符号の説明】
【００５８】
１    新聞記事アーカイブシステム
２    ディスプレイ
３    新聞紙面画像データベース
４    タグデータベース
５    類義語辞書データベース
１０    操作部
１１    新聞紙面整列画像配置領域決定部
１２    新聞紙面整列画像表示制御部
１３    選択部
１４    新聞紙面画像表示制御部
１５    タグ判定部
１６    タグ表示制御部
２１    新聞紙面整列画像配置領域表示画像
２１ａ，２１ｂ，３１    新聞紙面整列画像
２１ｃ，２１ｄ，２１ｅ    新聞紙面整列画像群
２２    年代表示画像
２３    選択画面表示画像
４１    新聞紙面画像
４１−１，４１−２，４１−３，４１−４，４１−５，４１−６    紙面区域
４２−１，４２−２，４２−３，４２−４，４２−５，４２−６    矩形領域
４３，４４    画像切替部
【図１】
2015084183.tif 000003
【図７】
2015084183.tif 000004
【図２】
2015084183.tif 000005
【図３】
2015084183.tif 000006
【図４】
2015084183.tif 000007
【図５】
2015084183.tif 000008
【図６】
2015084183.tif 000009
【図８】
2015084183.tif 000010